【手続補正書】
【提出日】平成27年4月27日(2015.4.27)
【手続補正１】
【補正対象書類名】特許請求の範囲
【補正対象項目名】全文
【補正方法】変更
【補正の内容】
【特許請求の範囲】
【請求項１】
液体導入部と、複数の導電性接触部材とを備え、前記複数の導電性接触部材が第１の方向に沿った第１列の導電性接触部材と前記第１の方向に沿った第２列の導電性接触部材を形成する、液体噴射装置に、着脱可能に装着可能なカートリッジであって、
前記カートリッジは、前記カートリッジが前記液体噴射装置に装着された状態において、前記第１列の導電性接触部材と前記第２列の導電性接触部材と前記液体導入部とから、前記第１の方向に直交する第２の方向に向かう第１の力を受け、前記第１列の導電性接触部材と前記第２列の導電性接触部材とから、前記第１の方向と前記第２の方向に直交する第３の方向に向かう第２の力を受けるものであり、
前記カートリッジは、
前記液体導入部に接続可能な液体供給部と、
前記第１列の導電性接触部材に接触可能な、前記第１の方向に沿った第１列の接触部と、
前記第２列の導電性接触部材に接触可能な、前記第１の方向に沿った第２列の接触部と、
前記液体噴射装置に係合可能な第１の被係合部と、
前記液体噴射装置に係合可能な第２の被係合部と、を備え、
前記第１の被係合部は、前記カートリッジを前記液体噴射装置に装着する過程において、前記液体噴射装置の第１の端部であって前記第２の方向に面する側に位置する第１の端部に対向する、第１の対向部を有し、
前記第２の被係合部は、前記カートリッジを前記液体噴射装置に装着する過程において、前記液体噴射装置の第２の端部であって前記第２の方向に面する側に位置する第２の端部に対向する、第２の対向部を有し、
前記第１の被係合部と前記第２の被係合部は、前記液体噴射装置に係合された状態において、前記第１列の接触部が前記第１列の導電性接触部材から離れる動きと、前記第２列の接触部が前記第２の導電性接触部材から離れる動きと、を規制するものであり、
前記第１の被係合部と前記第２の被係合部との間を通り、かつ、前記第１の方向に直交する平面が、前記第１列の接触部のうち中央に位置する接触部を通過する、カートリッジ。
【請求項２】
請求項１に記載のカートリッジであって、
前記第１の被係合部は、前記第１の対向部と、前記液体噴射装置に接触可能な第１の接触部と、を含む第１のフックであり、
前記第１の対向部と前記第１の接触部とは第１の凹状部を構成し、
前記第２の被係合部は、前記第２の対向部と、前記液体噴射装置に接触可能な第２の接触部と、を含む第２のフックであり、
前記第２の対向部と前記第２の接触部とは第２の凹状部を構成する、カートリッジ。
【請求項３】
請求項１又は請求項２に記載のカートリッジであって、
前記第１の被係合部と前記液体噴射装置とが接触する部分と、前記液体供給部の中心と、の前記第３の方向における距離を第１の距離とし、前記第１列の導電性接触部材の一つが前記第１列の導電性接触部材の前記一つに対応する前記第１列の接触部の一つに接触する部分と、前記液体供給部の中心と、の前記第３の方向における距離を第２の距離としたとき、前記第１の距離は前記第２の距離より大きい、カートリッジ。
【請求項４】
請求項３に記載のカートリッジであって、
前記第２列の導電性接触部材の一つが前記第２列の導電性接触部材の前記一つに対応する前記第２列の接触部の一つと接触する部分と、前記液体供給部の中心と、の前記第３の方向における距離を第３の距離としたとき、前記第１の距離は前記第３の距離より大きい、カートリッジ。
【請求項５】
請求項３に記載のカートリッジであって、
前記第２列の導電性接触部材の一つが前記第２列の導電性接触部材の前記一つに対応する前記第２列の接触部の一つと接触する部分と、前記液体供給部の中心と、の前記第３の方向における距離を第３の距離としたとき、前記第２の距離は前記第３の距離より小さい、カートリッジ。
【請求項６】
請求項１から請求項５までのいずれか一項に記載のカートリッジであって、さらに、
前記液体噴射装置と係合可能な第３の被係合部を備え、
前記第３の被係合部は、前記カートリッジが前記液体噴射装置に装着される過程において、前記第１列の接触部が前記第１列の導電性接触部材に接触する前に、回動支点として用いられる、カートリッジ。
【請求項７】
請求項１から請求項６までのいずれか一項に記載のカートリッジであって、
前記第２列の接触部の各々の接触部は、前記第１の方向において、前記第１の被係合部と前記第２の被係合部との間に位置する、カートリッジ。
【請求項８】
請求項１から請求項７までのいずれか一項に記載のカートリッジであって、
前記第１列の接触部の各々の接触部は、前記第１の方向において、前記第２列の接触部の各々と異なる位置に配置される、カートリッジ。
【請求項９】
請求項１から請求項８までのいずれか一項に記載のカートリッジであって、
前記第１の被係合部は、前記カートリッジを前記液体噴射装置に装着する過程において、前記第３の方向において前記液体噴射装置と係合する第１の当接部を有し、
前記第２の被係合部は、前記カートリッジを前記液体噴射装置に装着する過程において、前記第３の方向において前記液体噴射装置と係合する第２の当接部を有する、カートリッジ。
【手続補正２】
【補正対象書類名】明細書
【補正対象項目名】発明の名称
【補正方法】変更
【補正の内容】
【発明の名称】カートリッジ
【手続補正３】
【補正対象書類名】明細書
【補正対象項目名】０００９
【補正方法】変更
【補正の内容】
【０００９】
本発明は、上述の課題の少なくとも一部を解決するためになされたものであり、以下の形態として実現することが可能である。
［形態１］
液体導入部と、複数の導電性接触部材とを備え、前記複数の導電性接触部材が第１の方向に沿った第１列の導電性接触部材と前記第１の方向に沿った第２列の導電性接触部材を形成する、液体噴射装置に、着脱可能に装着可能なカートリッジであって、
前記カートリッジは、前記カートリッジが前記液体噴射装置に装着された状態において、前記第１列の導電性接触部材と前記第２列の導電性接触部材と前記液体導入部とから、前記第１の方向に直交する第２の方向に向かう第１の力を受け、前記第１列の導電性接触部材と前記第２列の導電性接触部材とから、前記第１の方向と前記第２の方向に直交する第３の方向に向かう第２の力を受けるものであり、
前記カートリッジは、
前記液体導入部に接続可能な液体供給部と、
前記第１列の導電性接触部材に接触可能な、前記第１の方向に沿った第１列の接触部と、
前記第２列の導電性接触部材に接触可能な、前記第１の方向に沿った第２列の接触部と、
前記液体噴射装置に係合可能な第１の被係合部と、
前記液体噴射装置に係合可能な第２の被係合部と、を備え、
前記第１の被係合部は、前記カートリッジを前記液体噴射装置に装着する過程において、前記液体噴射装置の第１の端部であって前記第２の方向に面する側に位置する第１の端部に対向する、第１の対向部を有し、
前記第２の被係合部は、前記カートリッジを前記液体噴射装置に装着する過程において、前記液体噴射装置の第２の端部であって前記第２の方向に面する側に位置する第２の端部に対向する、第２の対向部を有し、
前記第１の被係合部と前記第２の被係合部は、前記液体噴射装置に係合された状態において、前記第１列の接触部が前記第１列の導電性接触部材から離れる動きと、前記第２列の接触部が前記第２の導電性接触部材から離れる動きと、を規制するものであり、
前記第１の被係合部と前記第２の被係合部との間を通り、かつ、前記第１の方向に直交する平面が、前記第１列の接触部のうち中央に位置する接触部を通過する、カートリッジ。
この形態によれば、導電性接触部材に対する接触部の位置ズレを抑制できる。
［形態２］
形態１に記載のカートリッジであって、
前記第１の被係合部は、前記第１の対向部と、前記液体噴射装置に接触可能な第１の接触部と、を含む第１のフックであり、
前記第１の対向部と前記第１の接触部とは第１の凹状部を構成し、
前記第２の被係合部は、前記第２の対向部と、前記液体噴射装置に接触可能な第２の接触部と、を含む第２のフックであり、
前記第２の対向部と前記第２の接触部とは第２の凹状部を構成する、カートリッジ。
［形態３］
形態１又は形態２に記載のカートリッジであって、
前記第１の被係合部と前記液体噴射装置とが接触する部分と、前記液体供給部の中心と、の前記第３の方向における距離を第１の距離とし、前記第１列の導電性接触部材の一つが前記第１列の導電性接触部材の前記一つに対応する前記第１列の接触部の一つに接触する部分と、前記液体供給部の中心と、の前記第３の方向における距離を第２の距離としたとき、前記第１の距離は前記第２の距離より大きい、カートリッジ。
［形態４］
形態３に記載のカートリッジであって、
前記第２列の導電性接触部材の一つが前記第２列の導電性接触部材の前記一つに対応する前記第２列の接触部の一つと接触する部分と、前記液体供給部の中心と、の前記第３の方向における距離を第３の距離としたとき、前記第１の距離は前記第３の距離より大きい、カートリッジ。
［形態５］
形態３に記載のカートリッジであって、
前記第２列の導電性接触部材の一つが前記第２列の導電性接触部材の前記一つに対応する前記第２列の接触部の一つと接触する部分と、前記液体供給部の中心と、の前記第３の方向における距離を第３の距離としたとき、前記第２の距離は前記第３の距離より小さい、カートリッジ。
［形態６］
形態１から形態５までのいずれか一つに記載のカートリッジであって、さらに、
前記液体噴射装置と係合可能な第３の被係合部 を備え、
前記第３の被係合部は、前記カートリッジが前記液体噴射装置に装着される過程において、前記第１列の接触部が前記第１列の導電性接触部材に接触する前に、回動支点として用いられる、カートリッジ。
［形態７］
形態１から形態６までのいずれか一つに記載のカートリッジであって、
前記第２列の接触部の各々の接触部は、前記第１の方向において、前記第１の被係合部と前記第２の被係合部との間に位置する、カートリッジ。
［形態８］
形態１から形態７までのいずれか一つに記載のカートリッジであって、
前記第１列の接触部の各々の接触部は、前記第１の方向において、前記第２列の接触部の各々と異なる位置に配置される、カートリッジ。
［形態９］
形態１から形態８までのいずれか一つに記載のカートリッジであって、
前記第１の被係合部は、前記カートリッジを前記液体噴射装置に装着する過程において、前記第３の方向において前記液体噴射装置と係合する第１の当接部を有し、
前記第２の被係合部は、前記カートリッジを前記液体噴射装置に装着する過程において、前記第３の方向において前記液体噴射装置と係合する第２の当接部を有する、カートリッジ。